(57)【要約】  本発明は、一ないし複数の配電設備のグループを制御するよう構成されたクラウドサーバーであって、前記グループの各配電設備は、配電幹線から電気車両などの移動装置に配電するよう構成されたものに関する。本発明は、また、配電幹線から電気車両などの一ないし複数の移動装置に配電するためのシステムであって、ａ）一ないし複数の配電設備からなるグループと、ｂ）クラウドサーバーからなるものに関する。最後に、本発明は、前記システムにおいて配電するための方法を提供する。
2016502836.tif 000002
【特許請求の範囲】
【請求項１】
一ないし複数の配電設備（１３０，１３４，１３８）のグループ（１４２）を制御するよう構成されたクラウドサーバー（１００）であって、
前記グループの各配電設備（１３０，１３４，１３８）は、配電幹線（１６４）から電気車両などの移動装置（１８２）に配電するよう構成され、前記グループの各配電設備（１３０，１３４，１３８）は、制御装置（１６８）、クラウドサーバー（１００）と通信するよう構成された通信ユニット（１７８）、ユーザーインターフェースセクション（１７６）およびスイッチング手段（１６６）を有し、前記ユーザーインターフェースセクション（１７６）は、ユーザーからの入力を受けた後、配電リクエストを生成するよう構成されているとともに当該配電リクエストを前記制御装置（１６８）に転送するよう構成され、前記制御装置（１６８）は、前記配電リクエストを前記通信ユニット（１７８）に転送するよう構成され、前記通信ユニット（１７８）は、前記配電リクエストをクラウドサーバー（１００）に転送し、当該クラウドサーバー（１００）から配電デシジョンを受信し、当該配電デシジョンを前記制御装置（１６８）に転送するよう構成され、前記制御装置（１６８）は、前記ユーザーインターフェースセクション（１７６）から転送された情報および前記通信ユニット（１７８）から転送された前記配電デシジョンに基づいて、前記スイッチング手段（１６６）によって実行される配電を制御するよう構成され、
前記クラウドサーバー（１００）は、
プロセッサー（１０４）と、
一ないし複数の配電設備の前記グループ（１４２）の配電設備（１３０，１３４，１３８）における配電に関する一ないし複数のルールを記憶するよう構成された記憶手段（１０７）と、
一ないし複数の配電設備のグループ（１４２）の各配電設備（１３０，１３４，１３８）と通信するよう構成されたマスター通信ユニット（１０６）と
を備え、
前記マスター通信ユニット（１０６）は、一ないし複数の配電設備の前記グループ（１４２）の配電設備（１３０）から配電リクエストを受信し、当該配電を前記プロセッサー（１０４）に転送するようセットアップされ、
前記プロセッサー（１０４）は、前記マスター通信ユニット（１０６）から配電リクエストを受信するようセットアップされ、
前記プロセッサー（１０４）は、前記記憶手段（１０７）に記憶された一ないし複数のルールにアクセスするようセットアップされ、
前記プロセッサー（１０４）は、前記一ないし複数のルールを用いて前記配電リクエストに基づき、配電デシジョンを用意するようセットアップされ、
前記プロセッサー（１０４）は、一ないし複数の配電設備の前記グループ（１４２）の前記配電設備（１３０）に前記配電デシジョンを転送するよう前記マスター通信ユニット（１０６）に指示するようセットアップされている
ことを特徴とするクラウドサーバー（１００）。
【請求項２】
前記プロセッサー（１０４）は、配電リクエストがない状態で前記一ないし複数のルールに従って配電デシジョンを用意するよう構成されていることを特徴とする請求項１に記載のクラウドサーバー（１００）。
【請求項３】
前記プロセッサー（１０４）は、進行中の配電に関連する配電リクエストを前記記憶手段（１０７）にセーブし、終了した配電に関連する配電リクエストを前記記憶手段（１０７）から削除するよう構成されていることを特徴とする請求項１または請求項２に記載のクラウドサーバー（１００）。
【請求項４】
前記マスター通信ユニット（１０６）は、インターネット等の外部ネットワーク（１２０）と通信するよう構成されていることを特徴とする請求項１〜３のいずれかに記載のクラウドサーバー（１００）。
【請求項５】
前記マスター通信ユニット（１０６）は、ＧＳＭ（登録商標）、３Ｇまたは４Ｇ等のモバイルフォン技術を用いてインターネット（１０６）と通信するよう構成されていることを特徴とする請求項１〜４のいずれかに記載のクラウドサーバー（１００）。
【請求項６】
前記マスター通信ユニット（１０６）は、配電設備の前記グループ（１４２）の各メンバーから情報パッケージを受信するようセットアップされ、
前記プロセッサー（１０４）は、当該情報パッケージを前記外部ネットワーク（１２０）内の一ないし複数の特定のアドレスに転送するようセットアップされている
ことを特徴とする請求項４または請求項５のいずれかに記載のクラウドサーバー（１００）。
【請求項７】
配電設備の前記グループ（１４２）の各メンバー（１３０、１３４、１３８）から受信され、前記外部ネットワーク（１２０）内の一ないし複数の特定のアドレスに転送される前記情報パッケージは、インボイス情報またはステータスレポートに関連していることを特徴とする請求項６に記載のクラウドサーバー（１００）。
【請求項８】
前記マスター通信ユニット（１０６）は、前記外部ネットワーク（１２０）から前記ルールの更新に関する情報パッケージを受信するよう構成され、
前記マスター通信ユニット（１０６）は、前記ルールの更新に関する情報パッケージを前記プロセッサー（１０４）に転送するよう構成され、
前記プロセッサー（１０４）は、前記ルールの更新に関する前記情報パッケージに基づいて、前記記憶手段（１０７）に記憶されている前記ルールを更新するよう構成されている
ことを特徴とする請求項１〜７のいずれかに記載のクラウドサーバー（１００）。
【請求項９】
前記マスター通信ユニット（１０６）は、前記外部ネットワーク（１２０）に接続されたマスター設備を介して一ないし複数の配電設備の前記グループ（１４２）の配電設備（１３０，１３４，１３８）と通信するよう構成され、当該マスター設備は、ＷｉＦｉ技術を使用して前記グループ（１４２）の前記配電設備（１３０，１３４，１３８）と通信するよう構成されていることを特徴とする請求項１〜８のいずれかに記載のクラウドサーバー（１００）。
【請求項１０】
配電幹線から電気車両などの一ないし複数の移動装置（１８２）に配電するためのシステム（１５０）であって、当該システム（１５０）は、ａ）一ないし複数の配電設備（１３０，１３４，１３８）からなるグループ（１４２）と、ｂ）請求項１〜９のいずれかに記載のクラウドサーバー（１００）とを有し、
前記グループ（１４２）の各配電設備（１３０，１３４，１３８）は、配電幹線から、電気車両などの移動装置（１８２）に配電するよう構成され、前記グループ（１４２）の各配電設備（１３０，１３４，１３８）は、制御装置（１６８）と、前記クラウドサーバー（１００）と無線通信するよう構成された通信ユニット（１７８）と、ユーザーインターフェースセクション（１７６）と、スイッチング手段（１６６）とを有し、前記ユーザーインターフェースセクション（１７６）は、ユーザーからの入力を受けた後、配電リクエストを生成するよう構成されているとともに当該配電リクエストを前記制御装置（１６８）に転送するよう構成され、前記制御装置（１６８）は、配電リクエストに関連する情報を前記通信ユニット（１７８）に転送するよう構成され、前記通信ユニット（１７８）は、配電リクエストに関する前記情報を前記クラウドサーバー（１００）に転送し、前記クラウドサーバー（１００）から配電デシジョンを受信し、当該配電デシジョンを前記制御装置（１６８）に転送するよう構成され、前記制御装置（１６８）は、前記ユーザーインターフェースセクション（１７６）から転送された情報および前記通信ユニット（１７８）から転送された前記配電デシジョンに基づいて、前記スイッチング手段（１６６）によって実行される配電を制御するよう構成される
ことを特徴とするシステム（１５０）。
【請求項１１】
請求項１０に記載のシステム（１５０）において実行される、配電のための方法であって、前記システム（１５０）は、クラウドサーバー（１００）および一ないし複数の配電設備（１３０，１３４，１３８）のグループ（１４２）を有し、
ｄ）前記クラウドサーバー（１００）の前記プロセッサー（１０４）において、前記クラウドサーバー（１００）の前記記憶手段（１０７）内に記憶されたルールを考慮して、配電設備の前記グループ（１４２）の特定の配電設備（１３０）における特定の配電に関連する配電デシジョンを生成するステップと、
ｅ）ステップｄ）で生成された前記配電デシジョンを、前記クラウドサーバー（１００）の前記マスター通信ユニット（１０６）および前記特定の配電設備（１３０）の前記通信ユニット（１７８）を経由して前記特定の配電設備（１３０）の前記制御装置（１６８）に転送するステップと、
ｆ）前記特定の配電設備（１３０）の前記制御装置（１６８）において、ステップｅ）で転送された前記配電デシジョンに従って制御信号を生成し、当該制御信号を、前記特定の配電設備（１３０）の前記スイッチング手段（１６６）に送り、それによって前記配電デシジョンを実行するステップと
を有する方法。
【請求項１２】
電気車両などの一ないし複数の移動装置（１８２）への配電のための方法であって、当該方法は、請求項１１に記載の方法にしたがい、請求項１１のステップｄ）に先立って、
ａ）一ないし複数の配電設備の前記グループ（１４２）の特定の配電設備（１３０）のユーザーインターフェースセクション（１７６）で、ユーザーから、当該特定の配電設備（１３０）から移動装置（１８２）への配電に関する入力を受けるステップと、
ｂ）ステップａ）で受けた前記入力に基づいて配電リクエストを生成するステップと、
ｃ）ステップｂ）で生成された前記配電リクエストを、前記特定の配電設備（１３０）の前記制御装置（１６８）および通信ユニット（１７８）と前記クラウドサーバー（１００）の前記マスター通信ユニット（１０６）とを経由して前記クラウドサーバー（１００）の前記プロセッサー（１０４）に転送するステップと
が実行されることを特徴とする方法。
【請求項１３】
ステップｄ）で生成された前記配電デシジョンは、配電イベントの開始、調整、終了に関連するものとすることができることを特徴とする請求項１１または請求項１２に記載の配電のための方法。
【請求項１４】
ｉ）進行中の配電イベントに関連する配電デシジョンが前記記憶手段（１０７）に記憶され、
ｉｉ）終了された配電イベントに関連する配電デシジョンが前記記憶手段（１０７）から削除され、
ｉｉｉ）前記記憶手段（１０７）に記憶されている配電デシジョンが、前記記憶手段（１０７）に記憶されている前記ルールとともに、新しい配電デシジョンを生成する際に考慮される
ことを特徴とする請求項１１〜１３のいずれかに記載の配電のための方法。
【請求項１５】
特定の配電設備（１３０）での配電が終了されたときに、該特定の配電設備（１３０）から、前記クラウドサーバー（１００）を経由して、前記外部ネットワーク（１２０）内の特定のアドレスにインボイスデータが転送されることを特徴とする請求項１３〜１４のいずれかに記載の配電のための方法。
【請求項１６】
請求項１２のステップａ）で受ける前記入力が、
１）特定の配電設備（１３０）から移動装置（１８２）への配電に関する入力を生成するように、当該配電設備（１３０）の前記インターフェースセクション（１７６）のＲＦＩＤ読取手段の前にＲＦＩＤタグを提示すること、
２）特定の配電設備（１３０）から移動装置（１８２）への配電に関する入力を生成するように、当該配電設備（１３０）の前記インターフェースセクション（１７６）のブルートゥース手段の前にブルートゥースデバイスを提示すること、
３）特定の配電設備（１３０）から移動装置（１８２）への配電に関する入力を生成するように、モバイルフォンネットワークから前記システム（１５０）へ信号を送信するために、前記システム（１５０）により登録されたＳＩＭカードを含むモバイル機器から前記モバイルフォンネットワークを通じて特定の電話番号に、発呼する、または、ＳＭＳテキストメッセージを送信すること
からなる群から選択された少なくとも一つのアクションであることを特徴とする請求項１２〜１５のいずれかに記載の配電のための方法。
【請求項１７】
前記入力は、
配電を開始するインストラクション、および
配電を終了するインストラクション
からなる群から選択されることを特徴とする請求項１６に記載の配電のための方法。
【発明の詳細な説明】
【技術分野】
【０００１】
本発明は、配電の分野に関する。より具体的に、本発明は、特定の配電設備群を制御するよう構成されたクラウドサーバーに関する。また、本発明は、複数の配電設備およびクラウドサーバーを有し、当該クラウドサーバーが当該配電設備を制御するよう構成されていることを特徴とする配電用システムを提供する。最後に、本発明は、前記システムを制御する方法を提供する。
【背景技術】
【０００２】
電気車両を充電する手段となるインフラに対する需要が増大している。しかし、そのような手段のほとんどは、配電線への新規接続を必要とする新しい充電ステーションを設置することを意図するものである。そのような手段の例は、ドイツ特許出願公開第１０２００７０３８２４５号明細書、米国特許第５５６３４９１号明細書、および米国特許第７９８４８５２号明細書に見出すことができる。国際公開第２０１１／０４２３２２号パンフレットおよび米国特許出願公開第２０１１／０２１３６５６号がともに、新規の、そのような充電ステーションであって、駐車場スペースの管理と組み合わせたものに関連している。そのようなシステムは、大規模な建築工事が必要となることに加え、ほとんどの国で建築工事に許可が必要なため、費用がかさみ、煩雑である。したがって、電気車両のインフラに関連して、安価で簡単でフレキシブルな手段が必要とされている。
【発明の概要】
【０００３】
本発明は、添付の特許請求の範囲に記載されているような、クラウドサーバー、配電システムおよび配電方法を提供することによって、前記した課題を解決する。  
【０００４】
第１の態様において、本発明は、一ないし複数の配電設備のグループを制御するよう構成されたクラウドサーバーであって、
前記グループの各配電設備は、配電幹線電源から電気車両などの移動装置に配電するよう構成され、前記グループの各配電設備は、制御装置、クラウドサーバーと通信するよう構成された通信ユニット、ユーザーインターフェースセクションおよびスイッチング手段を有し、前記ユーザーインターフェースセクションは、ユーザーからの入力を受けた後、配電リクエストを生成するよう構成されているとともに当該配電リクエストを前記制御装置に転送するよう構成され、前記制御装置は、前記配電リクエストを前記通信ユニットに転送するよう構成され、前記通信ユニットは、前記配電リクエストをクラウドサーバーに転送し、当該クラウドサーバーから配電デシジョンを受信し、当該配電デシジョンを前記制御装置に転送するよう構成され、前記制御装置は、前記ユーザーインターフェースセクションから転送された情報および前記通信ユニットから転送された前記配電デシジョンに基づいて、前記スイッチング手段によって実行される配電を制御するよう構成され、
前記クラウドサーバーは、
プロセッサーと、
一ないし複数の配電設備の前記グループの配電設備における配電に関する一ないし複数のルールを記憶するよう構成された記憶手段と、
一ないし複数の配電設備のグループの各配電設備と通信するよう構成されたマスター通信ユニットと
を備え、
前記マスター通信ユニットは、一ないし複数の配電設備の前記グループの配電設備から配電リクエストを受信し、当該配電リクエストを前記プロセッサーに転送するようセットアップされ、
前記プロセッサーは、前記マスター通信ユニットから配電リクエストを受信するようセットアップされ、
前記プロセッサーは、前記記憶手段に記憶された一ないし複数のルールにアクセスするようセットアップされ、
前記プロセッサーは、前記一ないし複数のルールを用いて前記配電リクエストに基づき、配電デシジョンを用意するようセットアップされ、
前記プロセッサーは、一ないし複数の配電設備の前記グループの前記配電設備に前記配電デシジョンを転送するよう前記マスター通信ユニットに指示するようセットアップされている
ことを特徴とするクラウドサーバーを提供する。
【０００５】
第２の態様において、本発明は、配電幹線電源から電気車両などの一ないし複数の移動装置に配電するためのシステムであって、当該システムは、ａ）一ないし複数の配電設備からなるグループと、ｂ）前記第１の態様に記載のクラウドサーバーとを有し、
前記グループの各配電設備は、配電幹線電源から、電気車両などの移動装置に配電するよう構成され、前記グループの各配電設備は、制御装置と、前記クラウドサーバーと無線通信するよう構成された通信ユニット、ユーザーインターフェースセクションと、スイッチング手段とを有し、前記ユーザーインターフェースセクションは、ユーザーからの入力を受けた後、配電リクエストを生成するよう構成されているとともに当該配電リクエストを前記制御装置に転送するよう構成され、前記制御装置は、配電リクエストに関連する情報を前記通信ユニットに転送するよう構成され、前記通信ユニットは、配電リクエストに関する前記情報をクラウドサーバーに転送し、前記クラウドサーバーから配電デシジョンを受信し、当該配電デシジョンを前記制御装置に転送するよう構成され、前記制御装置は、前記ユーザーインターフェースセクションから転送された情報および前記通信ユニットから転送された前記デシジョンに基づいて、前記スイッチング手段によって実行される配電を制御するよう構成される
ことを特徴とするシステムを提供する。
【０００６】
第３の態様において、請求項１０に記載のシステムにおいて実行される配電のための方法であって、前記システムは、クラウドサーバーおよび一ないし複数の配電設備のグループを有し、
ｄ）前記クラウドサーバーの前記プロセッサーにおいて、前記クラウドサーバーの前記記憶手段内に記憶されたルールを考慮して、配電設備の前記グループの特定の配電設備における特定の配電に関連する配電デシジョンを生成するステップと、
ｅ）ステップｄ）で生成された前記配電デシジョンを、前記クラウドサーバーの前記マスター通信ユニットおよび前記特定の配電設備の前記通信ユニットを経由して前記特定の配電設備の前記制御装置に転送するステップと、
ｆ）前記特定の配電設備において、ステップｅ）で転送された前記配電デシジョンに従って制御信号を生成し、当該制御信号を、前記特定の配電設備の前記スイッチング手段に送り、それによって前記配電デシジョンを実行するステップと
を有する方法を提供する。  
【０００７】
［発明の詳細な説明］
第１の態様において、本発明は、一ないし複数の配電設備のグループを制御するよう構成されたクラウドサーバーであって、
前記グループの各配電設備は、配電幹線電源から電気車両などの移動装置に配電するよう構成され、前記グループの各配電設備は、制御装置、クラウドサーバーと通信するよう構成された通信ユニット、ユーザーインターフェースセクションおよびスイッチング手段を有し、前記ユーザーインターフェースセクションは、ユーザーからの入力を受けた後、配電リクエストを生成するよう構成されているとともに当該配電リクエストを前記制御装置に転送するよう構成され、前記制御装置は、前記配電リクエストを前記通信ユニットに転送するよう構成され、前記通信ユニットは、前記配電リクエストをクラウドサーバーに転送し、当該クラウドサーバーから配電デシジョンを受信し、当該配電デシジョンを前記制御装置に転送するよう構成され、前記制御装置は、前記ユーザーインターフェースセクションから転送された情報および前記通信ユニットから転送された前記配電デシジョンに基づいて、前記スイッチング手段によって実行される配電を制御するよう構成され、
前記クラウドサーバーは、
プロセッサーと、
一ないし複数の配電設備の前記グループの配電設備における配電に関する一ないし複数のルールを記憶するよう構成された記憶手段と、
一ないし複数の配電設備のグループの各配電設備と無線通信するよう構成されたマスター通信ユニットと
を備え、
前記マスター通信ユニットは、一ないし複数の配電設備の前記グループの配電設備から配電リクエストを受信し、当該配電リクエストを前記プロセッサーに転送するようセットアップされ、
前記プロセッサーは、前記マスター通信ユニットから配電リクエストを受信するようセットアップされ、
前記プロセッサーは、前記記憶手段に記憶された一ないし複数のルールにアクセスするようセットアップされ、
前記プロセッサーは、前記一ないし複数のルールを用いて前記配電リクエストに基づき、配電デシジョンを用意するようセットアップされ、
前記プロセッサーは、一ないし複数の配電設備の前記グループの前記配電設備に前記配電デシジョンを転送するよう前記マスター通信ユニットに指示するようセットアップされている
ことを特徴とするクラウドサーバーを提供する。
【０００８】
これに応じて、「クラウドサーバー（cloud server）」という用語は、インターネットなどの外部ネットワークに接続されたサーバーないしコンピューターに関連する用語であり、このクラウドサーバーは、なかんずく、個別の配電設備からの入力データおよび当該クラウドサーバーの記憶手段に記憶されているルールに基づいて、配電設備のグループを制御し連動させるものである。  
【０００９】
本明細書に開示しているように、「移動装置（mobile device）」という用語は、移動可能かつ電力供給配電幹線により電力供給可能な任意の種類の装置に関連する。そのような装置の例としては、電気自動車、セグウェイ、電気モーターサイクル等の電気車両が挙げられるが、さらに他の携帯可能な機械および携帯可能な照明セットもある。さらなる例として、電気で作動するエンジン予熱器やカーヒーターを備えた従来型の自動車もある。  
【００１０】
本明細書中に開示しているように、「制御装置（controller）」という用語は、データを受信し、標準的なルーチンにしたがってデータを変換し、データを送出するためのマイクロコンピューターまたは類似の装置に関連する。制御装置は、配電設備に搭載されている。通常、制御装置は、クラウドサーバーから通信ユニットを介して、または、配電設備のユーザーインターフェースセクションから、データを受信する。いくつかの実施形態において、制御装置は、支払セクション、ＲＦＩＤリーダー、ブルートゥース（Bluetooth（登録商標））インターフェース、一ないし複数の電力センサー、および前記通信ユニットなど、配電設備にオプションとして追加可能なパーツから、データを受信するものとしてもよい。データは、所定のルールに従って処理され、処理後のデータは、通常、スイッチング手段、通信ユニット、オプションとして追加可能な視覚信号を表示する手段、ユーザーインターフェースセクション、および、オプションとして追加可能な支払セクションからなるグループの内の少なくとも一つのメンバーに、送出される。当業者であれば、適切な制御装置を選択することができるだろう。  
【００１１】
本明細書に開示しているように、「通信ユニット（communication unit）」という用語は、クラウドサーバーのマスター通信ユニットとの間で、データ信号を送受信するよう構成された、送信機と受信機とが統合されたもの（「トランシーバー（transceiver）」）に関連する。通常、通信ユニットは、マスター通信ユニットとのコンタクトを、マスター通信ユニットも接続しているインターネットなどの外部ネットワークに接続されたモバイルフォンネットワークやＷｉＦｉネットワークを介して、確立している。いくつかの実施形態において、通信ユニットは、モバイルフォン技術を利用してモバイルフォンやモバイルコンピューターとの間で信号を送受信するよう構成されてもいる。これらの実施形態において、通信ユニットは、そのようなモバイルフォンやモバイルコンピューターから受信した信号をインターネットなどの外部ネットワークへ転送するようにも構成されている。このコンテクストにおいて、特定のマスター通信ユニットがクラウドサーバーに配置されている。いくつかの実施形態において、マスター設備は、通常、モバイルフォン技術を用いて、インターネットなどの外部ネットワークと個々の配電設備との間を行き来する信号の転送に用いることができる。  
【００１２】
本明細書に開示しているように、「ユーザーインターフェースセクション（user interface section）」という用語は、ユーザーがそれを利用して配電設備にインストラクションを送信することができるような、通常はＲＦＩＤ読取手段またはブルートゥースインターフェース、いくつかの実施形態ではボタンおよびキーといった手段を有する配電設備の一部である。ここで、インストラクションの典型的な例としては、「移動装置への配電を開始する（initiate distribution of power to the mobile device）」ものと「移動装置への配電を中断する（interrupt distribution of power to the mobile device）」ものとがある。通常、ＲＦＩＤタグの最初の提示は、移動装置への配電を開始するインストラクションと解釈することができ、それに続く２回目の提示いくつかの実施形態において、ユーザーは、他のインストラクションおよびデータ、たとえば、リクエストされた移動装置への配電時間の量、配電される電力量などを送信することができる。いくつかの実施形態において、ユーザーは、インターフェースセクションで、ｐｉｎコードを入力することによって、本人認証をすることができる。他の実施形態において、ユーザーは、他の場所で、たとえば、クレジットカードやＲＦＩＤタグやｅ−ｗａｌｌｅｔによって、ブルートゥースインターフェースによって本人認証することができる。ユーザーがインターフェースセクション以外で本人認証する場合であっても、いくつかの実施形態においては、ユーザーは、インターフェースセクションを利用した送信によって配電を開始および／または終了する。  
【００１３】
本明細書に開示しているように、「配電リクエスト（distribution request）」という用語は、ユーザーが移動装置への配電に関するコマンドを入力したときにインターフェースセクションで生成するデータパッケージに関連する。配電リクエストは、ａ）特定の配電設備で移動装置への新規配電を開始すること、ｂ）進行中配電イベントを調節または修正（出力電力の変更など）すること、ｃ）進行中配電イベントを終了することに関する。通常、配電リクエストデータパッケージは、ユーザーおよび特定の配電設備を特定するデータを含むものとすることができる。いくつかの実施形態において、データパッケージは、最大出力電力値およびまたはリクエストされた配電時間の量を含むものとすることもできる。  
【００１４】
本明細書に開示しているように、「配電デシジョン（distribution decision）」という用語は、配電リクエストに応答してマスター設備のプロセッサーにより生成されるデータパッケージに関連する。配電デシジョンを生成するときには、マスター設備の記憶手段に記憶されているデータおよびルールが考慮される。通常、配電デシジョンデータパッケージは、どの配電設備に配電すべきか、および、配電が（通常、街灯柱のランプに繋がる）引き出しケーブルになされるべきかそれとも移動装置への接続部になされるべきかに関する情報を含む。  
【００１５】
本明細書に開示しているように、「スイッチング手段（switching means）」という用語は、電力を、電力配電幹線に接続された引き込みケーブルから、移動装置に接続されるよう構成されたケーブル接続部に、および／または、通常は街灯柱のランプに繋がる引き出しケーブルに、切り替えることが意図されている、配電設備内に配置された装置に関連する。好ましくは、スイッチング手段は、ケーブル接続部と引き出しケーブルの両方への配電を細かく調整可能である。スイッチング手段の配電処理は、通常、制御装置から、配電デシジョンに応答して生成された制御信号を受けた後に実行される。  
【００１６】
本明細書に開示しているように、「プロセッサー（processor）」という用語は、すべての計算が実行されるコンピューターの処理部に関連する。当業者であれば、クラウドサーバーの計算を実行するための好適なプロセッサーを選択することができるだろう。  
【００１７】
本明細書に開示しているように、「記憶手段（memory means）」という用語は、データの記憶に適したコンピューター記憶装置に関連する。当業者であれば、クラウドサーバーの処理に必要なすべてのデータを記憶するための好適な記憶装置を見つけることができるはずである。  
【００１８】
いくつかの実施形態において、前記プロセッサーは、配電リクエストがない状態で前記一ないし複数のルールに従って配電デシジョンを用意するよう構成されている。  
【００１９】
いくつかの実施形態において、前記プロセッサーは、進行中の配電に関連する配電リクエストを前記記憶手段にセーブし、終了した配電に関連する配電リクエストを前記記憶手段から削除するよう構成されている。  
【００２０】
いくつかの実施形態において、前記マスター通信ユニットは、インターネット等の外部ネットワークと通信するよう構成されている。いくつかの実施形態において、前記マスター通信ユニットは、ＧＳＭ（登録商標）、３Ｇまたは４Ｇ等のモバイルフォン技術を用いてインターネットと通信するよう構成されている。  
【００２１】
いくつかの実施形態において、前記マスター通信ユニットは、配電設備の前記グループの各メンバーから情報パッケージを受信するようセットアップされ、前記プロセッサーは、当該情報パッケージを前記外部ネットワーク内の一ないし複数の特定のアドレスに転送するようセットアップされている。
【００２２】
いくつかの実施形態において、配電設備の前記グループの各メンバーから受信され、前記外部ネットワーク内の一ないし複数の特定のアドレスに転送される前記情報パッケージは、インボイス情報またはステータスレポートに関連する。通常、このステータスレポートは、特定の配電設備の状態（ステータス）に関連する。
【００２３】
いくつかの実施形態において、前記マスター通信ユニットは、前記外部ネットワークから前記ルールの更新に関する情報パッケージを受信するよう構成され、前記マスター通信ユニットは、さらに、前記ルールの更新に関する情報パッケージを前記プロセッサーに転送するよう構成され、最後に、前記プロセッサーは、前記ルールの更新に関する前記情報パッケージに基づいて、前記記憶手段に記憶されているルールを更新するよう構成されている。
【００２４】
いくつかの実施形態において、前記マスター通信ユニットは、前記外部ネットワークに接続されたマスター設備を介して一ないし複数の配電設備の前記グループの配電設備と通信するよう構成され、当該マスター設備は、ＷｉＦｉ技術を使用しての前記配電設備と通信するよう構成されている。
【００２５】
第２の態様において、本発明は、配電幹線から電気車両などの一ないし複数の移動装置に配電するためのシステムであって、当該システムは、ａ）一ないし複数の配電設備からなるグループと、ｂ）前記第１の態様によるクラウドサーバーとを有し、
前記グループの各配電設備は、配電幹線から、電気車両などの移動装置に配電するよう構成され、前記グループの各配電設備は、制御装置と、前記クラウドサーバーと無線通信するよう構成された通信ユニットと、ユーザーインターフェースセクションと、スイッチング手段とを有し、前記ユーザーインターフェースセクションは、ユーザーからの入力を受けた後、配電リクエストを生成するよう構成されているとともに当該配電リクエストを前記制御装置に転送するよう構成され、前記制御装置は、配電リクエストに関連する情報を前記通信ユニットに転送するよう構成され、前記通信ユニットは、配電リクエストに関する前記情報をクラウドサーバーに転送し、当該クラウドサーバーから配電デシジョンを受信し、当該配電デシジョンを前記制御装置に転送するよう構成され、前記制御装置は、前記ユーザーインターフェースセクションから転送された情報および前記通信ユニットから転送された前記デシジョン情報に基づいて、前記スイッチング手段によって実行される配電を制御するよう構成される
ことを特徴とするシステムを提供する。
【００２６】
第３の態様において、本発明は、本発明の前記第２の態様によるシステムにおいて実行される配電のための方法であって、前記システムは、クラウドサーバーおよび一ないし複数の配電設備のグループを有し、
ｄ）前記クラウドサーバーの前記プロセッサーにおいて、前記クラウドサーバーの前記記憶手段内に記憶されたルールを考慮して、配電設備の前記グループの特定の配電設備における特定の配電に関連する配電デシジョンを生成するステップと、
ｅ）ステップｄ）で生成された前記配電デシジョンを、前記クラウドサーバーの前記マスター通信ユニットおよび前記特定の配電設備の前記通信ユニットを経由して前記特定の配電設備の前記制御装置に転送するステップと、
ｆ）前記特定の配電設備の前記制御装置において、ステップｅ）で転送された前記配電デシジョンに従って制御信号を生成し、当該制御信号を、前記特定の配電設備の前記スイッチング手段に送り、それによって前記配電デシジョンを実行するステップと
を有する方法を提供する。
【００２７】
前記第３の態様のいくつかの実施形態において、本発明は、電気車両などの一ないし複数の移動装置への配電のための方法であって、当該方法は、上に開示したより一般的な方法にしたがい、該より一般的な方法のステップｄ）に先立って、
ａ）一ないし複数の配電設備の前記グループの特定の配電設備のユーザーインターフェースセクションで、ユーザーから、当該特定の配電設備から移動装置への配電に関する入力を受けるステップと、
ｂ）ステップａ）で受けた前記入力に基づいて配電リクエストを生成するステップと、
ｃ）ステップｂ）で生成された前記配電リクエストを、前記特定の配電設備の前記制御装置および通信ユニットと前記クラウドサーバーの前記マスター通信ユニットとを経由して前記クラウドサーバーの前記プロセッサーに転送するステップと
が実行されることを特徴とする方法。
【００２８】
前記した一般的な方法およびより具体的な方法の両方のいくつかの実施形態において、ステップｄ）で生成された前記配電デシジョンは、配電イベントの開始、調整、終了に関連するものとすることができる。
【００２９】
前記した一般的な方法およびより具体的な方法の両方のいくつかの実施形態において、以下が適用可能である：
ｉ）進行中の配電イベントに関連する配電デシジョンが前記記憶手段に記憶され、
ｉｉ）終了された配電イベントに関連する配電デシジョンが前記記憶手段から削除され、
ｉｉｉ）前記記憶手段に記憶されている配電デシジョンが、前記記憶手段に記憶されている前記ルールとともに、新しい配電デシジョンを生成する際に考慮される。
【００３０】
前記した一般的な方法およびより具体的な方法の両方のいくつかの実施形態において、特定の配電設備での配電が終了されたときに、該特定の配電設備から、クラウドサーバーを経由して、前記外部ネットワーク内の特定のアドレスにインボイスデータが転送される。  
【００３１】
前記した一般的な方法およびより具体的な方法の両方の好ましい実施形態において、前記方法のステップａ）で受ける前記入力は、
１）特定の配電設備から移動装置への配電に関する入力を生成するように、当該配電設備の前記インターフェースセクションのＲＦＩＤ読取手段の前にＲＦＩＤタグを提示すること、
２）特定の配電設備から移動装置への配電に関する入力を生成するように、当該配電設備の前記インターフェースセクションのブルートゥース手段の前にブルートゥースデバイスを提示すること、
３）特定の配電設備から移動装置への配電に関する入力を生成するように、モバイルフォンネットワークから前記システムへ信号を送信するために、前記システムにより登録されたＳＩＭカードを含むモバイル機器から前記モバイルネットワークを通じて特定の電話番号に発呼する、または、ＳＭＳテキストメッセージを送信すること
からなる群から選択された少なくとも一つのアクションである。
【００３２】
本明細書に開示しているように、「モバイル機器（mobile appliance）」という用語は、ＳＩＭカードを内蔵しそれを利用するよう構成されている任意のモバイル機器に関連する。そのようなモバイル機器の例としては、モバイルフォンやタブレットやポータブルコンピューターやｉｐａｄなどが挙げられる。
【００３３】
前記した一般的な方法およびより具体的な方法の両方の好ましい実施形態において、前記入力は、
配電を開始するインストラクション、および
配電を終了するインストラクション
からなる群から選択される。
【００３４】
通常、最初の入力は、配電開始のインストラクションとみなされ、続く第２の入力は、配電終了のインストラクションとみなされる。
【図面の簡単な説明】
【００３５】
本発明は、ここに、同封されている以下の図面を参照してさらに開示される。
【００３６】
【図１】本発明によるマスター設備の簡単な概要を提供する。
【図２】本発明によるシステムの概観を示す。
【図３】本発明のシステムの要部を構成する配電設備の略図を開示する。
【発明を実施するための形態】
【００３７】
まず、図１を参照すると、クラウドサーバー１００の概要が開示されている。クラウドサーバー１００は、電源１０２により電力供給されている。クラウドサーバー１００の中核となる部分は、すべての計算を実行するプロセッサー１０４である。プロセッサー１０４は、記憶手段１０７によりサポートされており、記憶手段は、通常、２つのサブユニット、すなわち、デシジョン記憶ユニット１０８およびルール記憶ユニット１１０、に分けることができる。デシジョン記憶ユニット１０８は、クラウドサーバー１００が制御する配電設備１３０，１３４，１３８のグループ１４２における配電をクラウドサーバー１００が監視できるようにするために、ペンディング状態の配電デシジョンを記憶するためのものである。ルール記憶ユニット１１０は、前記配電設備グループ１４２内の個々の配電設備１３０，１３４，１３８によりどのように配電がなされるべきかに関連するルールを記憶するためのものである。これらのルールは、所与の状況下で特定の配電設備により配電がなされ得る最大電力量を指定するものとすることができる。また、ルールは、特定のユーザーが他のユーザーとの関連で優先権を持つと考えられるか否かを指定するものとすることもできる。さらに、ルールは、特定の配電イベントが中断するまでの推定時間の最大量を指定するものであってもよい。また、クラウドサーバー１００は、マスター通信ユニット１０６を備えるものでもある。マスター通信ユニット１０６は、前記配電設備グループ１４２のすべての配電設備１３０，１３４，１３８と通信するよう構成されている。通常、マスター通信ユニット１０６は、インターネット（１２０）などの外部ネットワークや、ＧＳＭ（登録商標）、３Ｇまたは４Ｇおよび／またはＷｉＦｉ技術などのモバイルフォン技術を利用して、各配電設備と通信する。マスター通信ユニット１０６は、たとえば、ルールの更新に関して、インターネット（１２０）へのアクセスおよびインターネット（１２０）からのアクセスを行うよう構成されている。いくつかの実施形態において、マスター通信ユニット１０６は、データ信号を各配電設備から外部ネットワークの他のアドレスへ転送するよう構成されている。いくつかの実施形態において、そのようなデータ信号は、特定の配電設備１３０，１３４，１３８からのステータスレポートまたはインボイス情報に関連する。インボイス情報は、通常、スイッチング手段１６６の（一ないし複数の）電力センサー、またはインターフェースセクションのクレジットカードリーダーに由来するものである。
【００３８】
図２は、本発明によるシステム１５０の概観を提示する図であり、クラウドサーバー１００が配電設備１３０，１３４，１３８のグループ１４２を制御している。マスター設備のマスター通信ユニット１０６およびグループ１４２の各配電設備１３０，１３４，１３８の通信ユニット１３２，１３６，１４０により、信号が送受信される。通常、信号は、インターネット（１２０）などの外部ネットワークやＧＳＭ（登録商標）、３Ｇおよび４Ｇなどのモバイルフォンネットワークを用いて、もしくはＷｉＦｉ技術によって、送受信が行われる。
【００３９】
いくつかの実施形態において、個々の配電設備がＧＳＭ（登録商標）、３Ｇ、４Ｇなどのモバイルフォンネットワークに直接アクセスすることが難しいことがある。そのような状況において、図示せぬマスター設備を、（インターネット１２０に接続している）モバイルフォンネットワークとそのような個々の配電設備との間で信号を転送する手段として用いることができる。通常、マスター設備は、配電設備１３０，１３４，１３８のグループ１４２に近接配置されている。マスター設備は、既存の街灯柱などの、電気的接続部を備える既存構造物に設置することができる。他の適当な方法で配置してもよい。マスター設備は、電源により電力供給される。好ましくは、電願は、配電幹線であるが、原理的には、バッテリーでもよく、任意選択的に太陽電池ユニットを付設することもできる。マスター設備は、信号送受信のクオリティを最適化するために、高い、および／または、露出した場所に配置すると都合がよい。
【００４０】
図３に、本発明のシステム１５０の一部を構成する配電設備１３０の略図を開示する。通常、配電設備は、既存の街灯柱のような支持手段１６２に設置されている。配電設備１３０を既存の街灯柱に設置することの利点は、街灯柱が、すでに配電設備に接続しており、接続ケーブルを追加する必要がないことである。したがって、支持手段または街灯柱は、配電手段１６４に接続された引き込みケーブル１６０を含む。引き込みケーブルは、スイッチング手段１６６にも接続されている。また、スイッチング手段１６６は、コンタクトモジュール１７４を接続するケーブル接続部１７２に接続されており、コンタクトモジュールは、追加のケーブル１８０を介して移動装置１８２に接続されるよう構成されている。最後に、特に支持手段１６２が街灯柱である場合に、スイッチング手段は、照明手段またはランプに繋がる引き出しケーブル１７０に接続されていてもよい。スイッチング手段は、引き出しケーブル１７０への電力をオン・オフ切り替えるよう構成されている。また、スイッチング手段１６６は、ケーブル接続部１７２への電力をオン・オフ切り替えるようにも構成されている。スイッチング手段は、いくつかの実施形態において、ケーブル接続部１７２および／または引き出しケーブル１７０に配電する電力を検知するよう構成された図示せぬ一ないし複数の電力センサーを含んでいる。スイッチング手段１６６は、制御装置１６８によって制御される。したがって、スイッチング手段１６６と制御装置１６８との間には双方向の接続がある。制御装置１６８は、通常、ケーブル接続部１７２および／または引き出しケーブル１７０に分配すべき電力がどれくらいかに関する制御信号をスイッチング手段１６６に送信する。オプションとして設けられる電力センサーは、ケーブル接続部１７２および／または引き出しケーブル１７０に分配される電力を計測し、この情報を制御装置１６８に転送する。
【００４１】
制御装置は、インターフェースセクション１７６および通信ユニット１７８にも接続されている。インターフェースセクション１７６は、通常、移動装置の充電を開始および終了するための図示せぬ手段を有する。インターフェースセクションは、いくつかの実施形態において、図示せぬ支払セクションも有する。この支払セクションは、ユーザーを同定すること、および／または、クレジットカードリーダーおよびそのようなリーダーと関連するインターフェースなどの、ユーザーから支払いを取得する手段、および、ＲＦＩＤタグ検出手段またはブルートゥース読取手段を有するものであってもよい。したがって、ユーザーは、クレジットカード、ＲＦＩＤタグを提示することによって、または、ブルートゥース接続によって、本人認証することができる。ユーザーが本発明によるシステムに接続されるアカウントを持っている場合、配電される電力のコストをそのアカウントに請求することができる。代替的に、コストを、クレジットカードに請求することもできる。支払セクションおよび支払いに付随する機能は、インターフェースセクション１７６と一緒の決まったエリアに配置することができるが、インターフェースセクション１７６のコンポーネントは、ユーザーによりアクセスおよび使用が可能であれば、配電設備１３０の別の場所に配置してもよい。
【００４２】
本発明の好ましい実施形態において、配電設備１３０は、キー、ボタンまたはクレジッドカードリーダーなどの任意の外部作動手段をもたない。このような構成の利点の一つに、設備が破壊行為から保護しやすいということがある。この構成のもう一つの帰結は、ユーザーと、配電幹線から配電するための特定のシステム１５０の配電設備１３０との間のやり取りがシンプルになっていなければならないということである。通常、必要なコマンドは、２つだけ、すなわち、配電の開始と配電の終了である。さらに、ユーザーによりシステム１５０に送信される実際の信号は、同じであってもよい。したがって、いくつかの実施形態において、特定の一ユーザーからの信号フローにおける特定の信号群が、連続する同一信号のペアにグルーピングされる。そして、特定のペアの最初の信号が、配電開始のコマンドとして解釈され、その後の実質的に同一の信号が、配電終了のコマンドとして解釈される。これらのコマンドはともに、詳細については後述する配電リクエストおよびユーザー同定データの生成を開始する。これらの信号は、通常、ＲＦＩＤタグをＲＦＩＤ読取手段に提示するか、ブルートゥースデバイスをブルートゥース手段の前に提示することによって、インターフェースセクション１７６において生成されるが、前記システム１５０により登録されたＳＩＭカードを内蔵するモバイル機器（モバイルフォン、タブレット、ポータブルコンピューター）からモバイルフォンネットワークを経由して特定の電話番号に、発呼ないしＳＭＳテキストメッセージの送信をすることによって生成してもよい。この発呼ないし送信によって、前記モバイルネットワークから前記システム１５０に信号が送信され、特定の配電設備１３０から移動装置１８２への配電に関する入力が生成される。いくつかの実施形態において、信号生成のため、これらのアクション（ＲＦＩＤ、ブルートゥース、発呼、またはＳＭＳ）を少なくとも２回実行する必要がある。
【００４３】
インターフェースセクション１７６のコンポーネントがデータを生成する。インターフェースセクション１７６で生成されるデータの典型的な例は、配電リクエストとユーザー同定データである。上述のように、そのようなデータ（配電リクエストおよびユーザー同定データ）は、モバイルフォンネットワークから取得したデータ（モバイル機器によって生成してあったデータ）から生成してもよい。この場合、配電リクエストは、クラウドサーバーにおいて、モバイルフォンネットワークからのデータを受信したときに、生成してもよい。代替的に、同定されたユーザーが特定の配電設備で配電を開始しようとするときに、配電リクエストが生成される。通常、そのような配電リクエストは、特定の配電設備１３０および、該配電設備１３０内の引き出しケーブル１７０および／またはケーブル接続部１７２のような少なくとも一つの特定の配電チャネルを特定するデータを含む。通常、配電リクエストは、配電の開始または終了を示す。また、配電リクエストは、特定の電力量の配電を要求するデータ、配電がなされるべき時を示す時間データ、電力をどのように、経時変化させるべきか、または、させることができるかを指定するデータを含むものであってもよい。ユーザーを同定するデータの例としては、クレジットカードリーダー、ブルートゥース読取手段、特定の加入契約と関連するＳＩＭカード、または、ＲＦＩＤタグ読取手段から得られるデータが挙げられる。インターフェースセクション１７６からの上述のデータは、制御装置１６８に転送され、続いてさらに通信ユニット１７８に転送され、クラウドサーバー１００に送信される。ＳＩＭカードデータは、通常、モバイルフォンネットワークからマスター設備に転送される。クレジットカードリーダーからのインボイスデータは、通信ユニットに転送され、さらに、マスター設備のマスター通信ユニット１０６を経由して、関連するネットワーク１２０に転送される。
【００４４】
通信ユニット１７８は、通常、情報およびコマンドを送受信するトランシーバー（receiver and transmitter）を含む無線通信装置を含んでいる。一実施形態において、通信ユニット１７８は、クラウドサーバー１００内のマスター通信ユニット１０６と排他的に通信するようセットアップされている。一実施形態において、通信ユニット１７８は、ＬＥＤ装置と無線通信するようにも構成されている。通信ユニット１７８による送受信が可能な情報およびコマンドの例としては、スイッチング手段１６６内の一ないし複数の電力センサーから出力されるインボイス情報や、インターフェースセクション１７６から入力されるユーザー同定情報や、インターフェースセクション１７６から入力される配電リクエストや、クラウドサーバー１００から出力される配電デシジョンや、配電設備および接続された移動装置およびランプやＬＥＤ装置や他の種類の光発生手段などの装置に関連するステータスレポートが挙げられる。ステータスレポートは、配電設備１３０の制御装置１６８から出力されるものであってもよい。いくつかの実施形態において、ステータスレポートは、配電設備１３０の他の部分によって、または、移動装置１８２および配電設備１３０に接続された装置によって生成されるものであってもよい。したがって、このような実施形態において、ステータスレポートは、接続されたＬＥＤ装置によって、または、インターフェースセクション１７６の部分によって生成することができる。
【００４５】
一実施形態において、通信ユニット１７８は、さらに、配電設備１３０から１０ｍ以内に、モバイルフォンサービス、および／または、Ｗｉ−Ｆｉホットスポットエリアを提供するための小型フェムトセル基地局を有する。この実施形態において、小型フェムトセル基地局との間のデータトラフィックは、マスター設備１００のマスター通信ユニット１０６を介してガイドされる。一実施形態において、通信ユニット１７８は、（図示しない）別体のアンテナに接続されていてもよい。一実施形態において、このアンテナは、通信ユニットの近傍に配置されている。この実施形態において、アンテナは、通常、モバイルフォンで用いられているタイプのもので、完全に囲われていてもよいが、配電設備のアウターカバーを貫通し突出していてもよい。他の実施形態において、配電設備が街灯柱または類似した背の高いものに設置されている場合には、アンテナは、その街灯柱の外側ないし内側に、通信ユニットから離して設置されていてもよい。
【００４６】
また、本願は、図１および図３とともに図２に示し上述したシステムにおける配電のための方法に関連している。この方法の中核をなすステップは、「配電リクエストの生成（generation of a distribution request）」および「配電デシジョンの生成（generation of a distribution decision）」である。これらの中核ステップについて、その方法の全容とともに、以下に説明する。
【００４７】
本発明の主題の背後にある基本思想は、電気車両用充電サービスを提供するために街路照明に関する既存のインフラを利用することである。ほとんどの場所に、基本的なインフラが既に存在するので、適切な充電インフラを得るために街路照明インフラに補充するのが比較的安価なはずである。さらに、現在進行中の従来型電球のＬＥＤ装置への交換も、照明のエネルギー消費を削減し、充電等他の目的にエネルギーを利用する可能性を増加させる結果をもたらす。
【００４８】
しかし、既存のインフラは、特定の最大負荷にあわせて寸法設計されているということに留意することも必要である。その負荷を超過すると問題が発生するかもしれない。この負荷は、少なくとも一つの配電設備１３０，１３４，１３８の特定のグループ１４２の近傍のインフラ（またはネットワーク配電幹線）の前記最大負荷を上限とする利用可能な負荷とともに、時間とともに変動するものでもある。たとえば、利用可能な負荷は、通常、（街灯が消されている）日中の方が、（街灯が点いている）夜間に利用可能な負荷よりも大きい。近接配置されている配電設備のグループ１４２内の一つの配電設備１３０で移動装置１８２に配電がなされている場合、利用可能な負荷は減少している。このように、所与の時点で配電設備のグループ１４２のうちの特定の配電設備１３０から所与の移動装置１８２に分配することができる利用可能な負荷は、その所与の時点において配電設備のグループ１４２の近傍で配電幹線網にかかっている実際の負荷に依存する。したがって、配電設備のグループ１４２の各メンバー１３０，１３４，１３８からの配電電力の制御および／または監視をすることが重要である。したがって、上に述べたことを考慮すると、常にすべての配電リクエストを満たすことができるわけではないかもしれないし、配電電力を時間により変動させられるようにする必要もあるかもしれないことになろう。
【００４９】
配電に利用可能な電力量が限られているという事実を考慮すると、好適な顧客サービスと、安全な配電と、街灯照明に必要とされる時間帯における必要な電力に対する合理的な配慮に繋がるルール群を確立することが重要である。移動装置１８２への配電用に利用可能な電力に関する前段の論法によるルールに加え、同様のルールで、異なるユーザーに対し異なる優先レベルを決めておいてもよい。ユーザーは、たとえば、すべての、もしくは、いくつかの特定の配電設備で、高い優先権を得ることができる。少なくとも何人かのユーザーに特定の配電設備での配電をあらかじめ予約することができるようにするルールがあってもよい。一人ないし複数のユーザーが、特定の充電時間、特定の動的配電のためのプランを指定して、該プランにしたがって配電電力レベルを時間により変えることができるようにするルールがあってもよい。街灯照明の点灯および／または消灯すべき時間と、それに付随して、移動装置への配電に利用可能な電力の、それに伴う変動が適用されるべきタイミングとを指定するルールがあってもよい。また、偶発的な部分的停電があった場合にどうすべきかを指定するルールもあり得る。利用可能な電力量に不足が生じた場合にどうすべきかを指定するルールがあってもよい。そのようなルールとしては、すべてのユーザーが電力を少しずつ（不充分ではあっても）分配されるとの規定、および／または、一部のユーザーが全く電力を分配されないとの規定があり得る。ルールは、マスター設備の記憶手段１０７に記憶されており、外部ネットワーク１２０との通信により更新が可能である。
【００５０】
本願による配電方法は、しばしば、システム１５０が特定の配電設備１３０のユーザーインターフェースセクション１７６でユーザーから入力を受け取ったときに開始される。一実施形態において、ユーザーは、ブルートゥース通信によって、何らかの種類のＲＦＩＤタグを提示することによって、特定の電話番号への発呼またはＳＭＳの送信、あるいは、クレジットカードを提示することによって、本人認証を行う。そして、ユーザーは、通常、該特定の配電設備１３０に接続された移動装置への配電をリクエストする。そして、インターフェースセクションにおいて取得されたデータにより配電リクエストが生成されて、当該特定の配電設備１３０が属する配電設備のグループ１４２を制御し同期させるようセットアップされているクラウドサーバー１００に、その配電リクエストが転送される。すると、マスター設備のプロセッサー１０４が、配電リクエストを受け取り、たとえば、当該リクエスト、ペンディング状態の配電に関する配電デシジョン、および記憶手段に記憶された一ないし複数のルールに基づいて、配電デシジョンを生成する。この配電デシジョンは、リクエストされた配電が許可されたことを示すものであっても、示さないものであってもよい。配電デシジョンは、一ないし複数のペンディング状態の配電をキャンセルするものであってもよい。配電デシジョンは、グループ１４２内の影響を受ける配電設備に送信される。影響を受ける配電設備の制御装置１６８は、適切な制御信号を生成し、これらの信号を、各配電設備のスイッチング手段１６６に転送する。
【００５１】
配電デシジョンは、新規配電を開始するユーザーがなかった場合でも、生成されることがある。たとえば、街灯照明が点灯または消灯するときには、配電に利用可能な電力が減少し、配電電力量を調整する必要がある。同様に、ユーザーが配電の取り消しをリクエストし、利用可能な電力量が増えると、他の配電が、ルールにしたがって調整されて、新しい配電デシジョンが発行される。
【００５２】
いくつかの実施形態において、スイッチング手段１６６の一ないし複数の電力センサーが特定の移動装置１８２に配電されたエネルギーの量に関するデータを送信する。このデータは、インボイス情報としてクラウドサーバー１００に送信され、通常、関連するネットワーク１２０内の特定のアドレスに転送される。
【００５３】
詳細な説明において開示された諸実施形態は、好ましい実施形態の例に過ぎず、本発明の範囲を限定することを意図するものではない。発明の範囲は、請求の範囲によってのみ定まるものである。
【図１】
2016502836.tif 000003
【図２】
2016502836.tif 000004
【図３】
2016502836.tif 000005
【国際調査報告】
2016502836.tif 000006
2016502836.tif 000007
2016502836.tif 000008
2016502836.tif 000009